(57)【特許請求の範囲】
【請求項１】
所定の標準色空間の座標で色が表現された標準色空間画像データを取得するデータ取得部と、
前記標準色空間画像データを記憶しておく第１の記憶部と、
前記標準色空間画像データにより表される画像の低解像度画像を表す、該標準色空間画像データよりも画素数の少ない縮小画像データを生成する縮小画像生成部と、
１以上のプリンタの各々に対する、前記標準色空間と該プリンタに依存したプリンタ色空間との間での色変換を定義したプリンタプロファイルを記憶しておく第２の記憶部と、
プリンタに出力するための画像配置となるように編集装置において編集された、前記縮小画像データを含み得る編集済みデータを、該編集装置から取得する編集済みデータ取得部と、
前記編集済みデータ中に前記縮小画像データが含まれていた場合に、該編集済みデータ中の縮小画像データを対応する標準色空間画像データに置換した出力画像データを生成するデータ置換部と、
前記出力画像データを、前記第２の記憶部に記憶されたプリンタプロファイルのうちの、今回の出力先のプリンタプロファイルを伴って該プリンタに送るデータ送信部とを備えたことを特徴とする画像処理装置。
【請求項２】
所定の標準色空間の座標で色が表現された標準色空間画像データを取得するデータ取得部と、
前記標準色空間画像データを記憶しておく第１の記憶部と、
前記標準色空間画像データにより表される画像の低解像度画像を表す、該標準色空間画像データよりも画素数の少ない縮小画像データを生成する縮小画像生成部と、
１以上のプリンタの各々に対する、前記標準色空間と該プリンタに依存したプリンタ色空間との間での色変換を定義したプリンタプロファイルを記憶しておく第２の記憶部と、
プリンタに出力するための画像配置となるように編集装置において編集された、前記縮小画像データを含み得る編集済みデータを、該編集装置から取得する編集済みデータ取得部と、
前記編集済みデータ中に前記縮小画像データが含まれていた場合に、該編集済みデータ中の縮小画像データに対応する標準色空間画像データを、前記第２の記憶部に記憶されたプリンタプロファイルのうちの今回の出力先のプリンタプロファイルに基づいて色変換することによりプリンタ色空間画像データを生成する色変換部と、
前記編集済みデータ中に前記縮小画像データが含まれていた場合に、該編集済みデータ中の縮小画像データを、該縮小画像データに対応するプリンタ色空間画像データに置換した出力画像データを生成するデータ置換部と、
前記出力画像データを、今回の出力先のプリンタに送るデータ送信部とを備えたことを特徴とする画像処理装置。
【請求項３】
コンピュータ内で実行され、該コンピュータを、
所定の標準色空間の座標で色が表現された標準色空間画像データを取得するデータ取得部と、
前記標準色空間画像データを記憶しておく第１の記憶部と、
前記標準色空間画像データにより表される画像の低解像度画像を表す、該標準色空間画像データよりも画素数の少ない縮小画像データを生成する縮小画像生成部と、
１以上のプリンタの各々に対する、前記標準色空間と該プリンタに依存したプリンタ色空間との間での色変換を定義したプリンタプロファイルを記憶しておく第２の記憶部と、
プリンタに出力するための画像配置となるように編集装置において編集された、前記縮小画像データを含み得る編集済みデータを、該編集装置から取得する編集済みデータ取得部と、
前記編集済みデータ中に前記縮小画像データが含まれていた場合に、該編集済みデータ中の縮小画像データを対応する標準色空間画像データに置換した出力画像データを生成するデータ置換部と、
前記出力画像データを、前記第２の記憶部に記憶されたプリンタプロファイルのうちの、今回の出力先のプリンタプロファイルを伴って該プリンタに送るデータ送信部とを備えた画像処理装置として動作させることを特徴とする画像処理プログラム。
【請求項４】
コンピュータ内で実行され、該コンピュータを、
所定の標準色空間の座標で色が表現された標準色空間画像データを取得するデータ取得部と、
前記標準色空間画像データを記憶しておく第１の記憶部と、
前記標準色空間画像データにより表される画像の低解像度画像を表す、該標準色空間画像データよりも画素数の少ない縮小画像データを生成する縮小画像生成部と、
１以上のプリンタの各々に対する、前記標準色空間と該プリンタに依存したプリンタ色空間との間での色変換を定義したプリンタプロファイルを記憶しておく第２の記憶部と、
プリンタに出力するための画像配置となるように編集装置において編集された、前記縮小画像データを含み得る編集済みデータを、該編集装置から取得する編集済みデータ取得部と、
前記編集済みデータ中に前記縮小画像データが含まれていた場合に、該編集済みデータ中の縮小画像データに対応する標準色空間画像データを、前記第２の記憶部に記憶されたプリンタプロファイルのうちの今回の出力先のプリンタプロファイルに基づいて色変換することによりプリンタ色空間画像データを生成する色変換部と、
前記編集済みデータ中に前記縮小画像データが含まれていた場合に、該編集済みデータ中の縮小画像データを、該縮小画像データに対応するプリンタ色空間画像データに置換した出力画像データを生成するデータ置換部と、
前記出力画像データを、今回の出力先のプリンタに送るデータ送信部とを備えた画像処理装置として動作させることを特徴とする画像処理プログラム。
【発明の詳細な説明】
【０００１】
【発明の属する技術分野】
本発明は、編集に用いる画像を処理する画像処理装置、およびコンピュータにローディングされてそのコンピュータを上記画像処理装置として動作させるための画像処理プログラムに関する。
【０００２】
【従来の技術】
従来より、印刷業界ではパーソナルコンピュータ等を使って文書の編集や印刷を行なうＤＴＰ（Ｄｅｓｋ  Ｔｏｐ  Ｐｕｂｌｉｓｈｉｎｇ）システムが広く用いられている。このＤＴＰシステムでは、編集用ワークステーション上で編集用ソフトウェア（ＤＴＰアプリケーション）を用いて画像、テキスト、線画等のレイアウトを決める編集作業を行ない、その結果を一般的にＰＳ（Ｐｏｓｔ  Ｓｃｒｉｐｔ）データというページ記述言語で出力する。出力されたＰＳデータはネットワークを介してＲＩＰ（Ｒａｓｔｅｒ  Ｉｍａｇｅ  Ｐｒｏｃｅｓｓｏｒ）ワークステーションとしての機能を持つプリンタに送信される。このプリンタは、ＰＳデータを解析してページ単位のイメージデータを生成し、生成したイメージデータからなる印刷画像（網点画像）を出力する。
【０００３】
ここで、高画質の印刷画像を得るためには、一般に、数十〜数百メガバイトもの高解像度の画像データが必要とされる。このようにデータ量が多い画像データを用いて編集用ソフトウェアで編集作業を行なうのでは、編集用ワークステーションにおけるコンピュータへの負担が大きく、従ってコンピュータの処理能力が低下して編集作業を快適に行なうことは困難であるという問題がある。
【０００４】
そこで、数十〜数百メガバイトの画像データを間引いて、表示用の例えば１メガバイト程度の低解像度の画像データを生成し、この低解像度の画像データを用いて編集作業を行ない、編集作業が終了した時点で低解像度の画像データを高解像度の画像データにすり替えて、編集用ワークステーションからプリンタにＰＳデータとして送信するというＯＰＩ（Ｏｐｅｎ  Ｐｒｅｐｒｅｓｓ  Ｉｎｔｅｒｆａｃｅ）システムが、例えば、プリンタサーバと連動した画像サーバ（画像処理装置）に採用されている。
【０００５】
ここで、上記プリンタサーバは、複数のプリンタを管理（制御）するためのものであり、あるクライアントのワークステーションから送信されてくるＰＳデータを受け取ってハードディスク等に格納しておき、所望のプリンタの処理が終了した時点でそのＰＳデータをそのプリンタに出力することにより、クライアント側の負担を小さく抑える役割を担うものである。
【０００６】
また、上述した、ＯＰＩシステムが採用された画像処理装置は、レイアウト等の編集作業を快適に行なうために高解像度の画像データを間引いて低解像度の画像データを生成したり、プリント指示を受けた時点で低解像度の画像データから高解像度の画像データにすり替えてプリンタに出力する。
【０００７】
図９は、従来の画像処理装置におけるデータの流れを示す図である。
【０００８】
図９に示す画像処理装置では、例えばデジタルカメラからのＲＧＢ（レッド、グリーン、ブルー）３色の高解像度（ＨＲ：Ｈｉｇｈ  Ｒｅｓｏｌｕｔｉｏｎ）の原画像データＡ１や、カラースキャナからのＣＭＹＫ（シアン、マゼンタ、イエロー、黒）４色の高解像度の原画像データＢ１が入力される。
【０００９】
入力された原画像データＡ１，Ｂ１は、所定の標準色空間であるＣＭＹＫの色空間の座標で色が表現されたＣＭＹＫの画像データＡ２，Ｂ２（高解像度の標準色空間画像データ）に変換されて記憶部に記憶される。記憶部に記憶された画像データＡ２，Ｂ２は、間引かれて低解像度（ＬＲ：Ｌｏｗ  Ｒｅｓｏｌｕｔｉｏｎ）のＣＭＹＫ４色の画像データＡ３，Ｂ３が生成される。このようにして、編集用の間引き画像が生成される。
【００１０】
ここで、ユーザが編集用ワークステーションの画面を見ながらＤＴＰアプリケーションにより編集を行なう場合は、上記低解像度の画像データＡ３，Ｂ３が使用される。このため、編集作業を快適に行なうことができる。編集終了後、ユーザがプリント指示を行なうと、低解像度の画像データＡ３，Ｂ３が、記憶部に記憶しておいた、その低解像度の画像データＡ３，Ｂ３に対応する高解像度の画像データＡ２，Ｂ２に入れ替えられて、プリント指示されたプリンタ（以下に説明するプリンタ２００,３００,４００のいずれか）にＰＳデータとして送信される。
【００１１】
ここで、プリンタ２００は、カラー印刷機で印刷される画像の色と極力同じ色に似せたプルーフ画像を作成するためのものである。また、プリンタ３００は、製版フイルム用の画像を作成するためのものである。さらに、プリンタ３００は、製版フイルムを用いることなく、網点画像をアルミ版等の刷版材料に直接露光するＣＴＰ（Ｃｏｍｐｕｔｅｒ  Ｔｏ  Ｐｌａｔｅ）手法を採用したものである。
【００１２】
これらプリンタ２００，３００，４００には、それぞれ、プリンタの種類やそのプリンタの使用条件等に対応した、画像データと実際にプリント出力される画像の色との関係を記述したプリンタプロファイル（典型的には、標準化団体ＩＣＣ（Ｉｎｔｅｒｎａｔｉｎａｌ  Ｃｏｌｏｒ  Ｃｏｎｓｏｒｔｉｕｍ）が提唱するＩＣＣプロファイル）が設定される。各プリンタ２００，３００，４００は、各プリンタプロファイルに基づいて、送信されたＰＳデータ（高解像度の画像データ）をプリンタ用の画像データに色変換し、この色変換されたプリンタ用の画像データに基づいてページ単位のイメージデータを生成し、生成したイメージデータからなるカラーのプルーフ画像２０１，製版フイルム用の画像３０１，ＣＴＰ用の画像４０１を作成する。尚、上記プリンタプロファイルは、通常、プリンタのメーカから提供される。
【００１３】
【発明が解決しようとする課題】
ここで、例えば、プルーフ画像を作成するためのプリンタが複数設置されている場合、あるプリンタにはプリンタプロファイルが設定されており、他のプリンタにはプリンタプロファイルが正しく設定されていない場合が考えられる。すると、プリンタプロファイルが正しく設定されていないプリンタでは、正しく色変換されず、このため複数のプリンタから出力される画像の色どうしが十分には一致せず、プルーフ画像を作成する複数のプリンタについてほぼ同一の色再現性を実現することは困難である。
【００１４】
本発明は、上記事情に鑑み、複数のプリンタから出力される画像の色どうしが十分に一致して色再現性が高められた画像処理装置および画像処理プログラムを提供することを目的とする。
【００１５】
【課題を解決するための手段】
上記目的を達成する本発明の画像処理装置のうちの第１の画像処理装置は、
所定の標準色空間の座標で色が表現された標準色空間画像データを取得するデータ取得部と、
前記標準色空間画像データを記憶しておく第１の記憶部と、
前記標準色空間画像データにより表される画像の低解像度画像を表す、該標準色空間画像データよりも画素数の少ない縮小画像データを生成する縮小画像生成部と、
１以上のプリンタの各々に対する、前記標準色空間と該プリンタに依存したプリンタ色空間との間での色変換を定義したプリンタプロファイルを記憶しておく第２の記憶部と、
プリンタに出力するための画像配置となるように編集装置において編集された、前記縮小画像データを含み得る編集済みデータを、該編集装置から取得する編集済みデータ取得部と、
前記編集済みデータ中に前記縮小画像データが含まれていた場合に、該編集済みデータ中の縮小画像データを対応する標準色空間画像データに置換した出力画像データを生成するデータ置換部と、
前記出力画像データを、前記第２の記憶部に記憶されたプリンタプロファイルのうちの、今回の出力先のプリンタプロファイルを伴って該プリンタに送るデータ送信部とを備えたことを特徴とする。
【００１６】
従来の画像処理装置では、その画像処理装置に接続される複数のプリンタそれぞれに固有のプリンタプロファイルが設定され、そのプリンタプロファイルに基づいてプリンタ用の画像データに色変換され、最終的にプリント出力される。ここで、プリンタによってはプリンタプロファイルが正しく設定されているか否かが不明のものもあり、設定されていない場合は正しく色変換されず、従ってあるプリンタでプリント出力された画像の色と他のプリンタでプリント出力された画像の色とが十分に一致せず、複数のプリンタについてほぼ同一の色再現性を実現することが困難であるという問題がある。
【００１７】
本発明の第１の画像処理装置は、各プリンタについて各プリンタプロファイルを記憶しておき、プリンタに出力するための画像配置となるように編集装置において編集された編集済みデータ中の縮小画像データが標準色空間画像データに置換された後の出力画像データを、記憶されたプリンタプロファイルのうちの、今回の出力先のプリンタプロファイルを伴ってそのプリンタに送るものであるため、今回の出力先のプリンタ専用のプリンタプロファイルに基づいてそのプリンタ用の画像データに色変換される。従って、複数のプリンタについてほぼ同一の色再現性を実現することができる。
【００１８】
また、上記目的を達成する本発明の画像処理装置のうちの第２の画像処理装置は、
所定の標準色空間の座標で色が表現された標準色空間画像データを取得するデータ取得部と、
前記標準色空間画像データを記憶しておく第１の記憶部と、
前記標準色空間画像データにより表される画像の低解像度画像を表す、該標準色空間画像データよりも画素数の少ない縮小画像データを生成する縮小画像生成部と、
１以上のプリンタの各々に対する、前記標準色空間と該プリンタに依存したプリンタ色空間との間での色変換を定義したプリンタプロファイルを記憶しておく第２の記憶部と、
プリンタに出力するための画像配置となるように編集装置において編集された、前記縮小画像データを含み得る編集済みデータを、該編集装置から取得する編集済みデータ取得部と、
前記編集済みデータ中に前記縮小画像データが含まれていた場合に、該編集済みデータ中の縮小画像データに対応する標準色空間画像データを、前記第２の記憶部に記憶されたプリンタプロファイルのうちの今回の出力先のプリンタプロファイルに基づいて色変換することによりプリンタ色空間画像データを生成する色変換部と、
前記編集済みデータ中に前記縮小画像データが含まれていた場合に、該編集済みデータ中の縮小画像データを、該縮小画像データに対応するプリンタ色空間画像データに置換した出力画像データを生成するデータ置換部と、
前記出力画像データを、今回の出力先のプリンタに送るデータ送信部とを備えたことを特徴とする。
【００１９】
上述した本発明の第１の画像処理装置では、その画像処理装置に接続される全てのプリンタにプリンタプロファイルが設定されている場合であっても、プリンタプロファイルを解読して色変換するための補間処理等のアルゴリズムは各プリンタ毎に異なるおそれがあるため、同一の出力画像データが送信されても色差が発生してプリント出力された画像の色が微妙に異なる場合がある。
【００２０】
本発明の第２の画像処理装置は、縮小画像データを、その縮小画像データに対応するプリント色空間画像データに置換して、今回の出力先のプリンタに送るものである。ここで、プリント色空間画像データは、縮小画像データに対応する標準色空間画像データを、第２の記憶部に記憶されたプリンタプロファイルのうちの今回の出力先のプリンタプロファイルに基づいて色変換することにより生成される。このため、所定のアルゴリズムで補間処理等が行なわれた画像データがそれぞれのプリンタに送られることとなり、従って複数のプリンタから出力される画像の色どうしを十分に一致させることができる。
【００２１】
さらに、上記目的を達成する本発明の画像処理プログラムのうちの第１の画像処理プログラムは、コンピュータ内で実行され、そのコンピュータを、
所定の標準色空間の座標で色が表現された標準色空間画像データを取得するデータ取得部と、
前記標準色空間画像データを記憶しておく第１の記憶部と、
前記標準色空間画像データにより表される画像の低解像度画像を表す、該標準色空間画像データよりも画素数の少ない縮小画像データを生成する縮小画像生成部と、
１以上のプリンタの各々に対する、前記標準色空間と該プリンタに依存したプリンタ色空間との間での色変換を定義したプリンタプロファイルを記憶しておく第２の記憶部と、
プリンタに出力するための画像配置となるように編集装置において編集された、前記縮小画像データを含み得る編集済みデータを、該編集装置から取得する編集済みデータ取得部と、
前記編集済みデータ中に前記縮小画像データが含まれていた場合に、該編集済みデータ中の縮小画像データを対応する標準色空間画像データに置換した出力画像データを生成するデータ置換部と、
前記出力画像データを、前記第２の記憶部に記憶されたプリンタプロファイルのうちの、今回の出力先のプリンタプロファイルを伴って該プリンタに送るデータ送信部とを備えた画像処理装置として動作させることを特徴とする。
【００２２】
本発明の第１の画像処理プログラムは、コンピュータ内で実行され、そのコンピュータを、上記本発明の第１の画像処理装置として動作させるものであるため、今回の出力先のプリンタ専用のプリンタプロファイルに基づいてそのプリンタ用の画像データに色変換することができる。従って、複数のプリンタについてほぼ同一の色再現性を実現することができる。
【００２３】
また、上記目的を達成する本発明の画像処理プログラムのうちの第２の画像処理プログラムは、コンピュータ内で実行され、そのコンピュータを、
所定の標準色空間の座標で色が表現された標準色空間画像データを取得するデータ取得部と、
前記標準色空間画像データを記憶しておく第１の記憶部と、
前記標準色空間画像データにより表される画像の低解像度画像を表す、該標準色空間画像データよりも画素数の少ない縮小画像データを生成する縮小画像生成部と、
１以上のプリンタの各々に対する、前記標準色空間と該プリンタに依存したプリンタ色空間との間での色変換を定義したプリンタプロファイルを記憶しておく第２の記憶部と、
プリンタに出力するための画像配置となるように編集装置において編集された、前記縮小画像データを含み得る編集済みデータを、該編集装置から取得する編集済みデータ取得部と、
前記編集済みデータ中に前記縮小画像データが含まれていた場合に、該編集済みデータ中の縮小画像データに対応する標準色空間画像データを、前記第２の記憶部に記憶されたプリンタプロファイルのうちの今回の出力先のプリンタプロファイルに基づいて色変換することによりプリンタ色空間画像データを生成する色変換部と、
前記編集済みデータ中に前記縮小画像データが含まれていた場合に、該編集済みデータ中の縮小画像データを、該縮小画像データに対応するプリンタ色空間画像データに置換した出力画像データを生成するデータ置換部と、
前記出力画像データを、今回の出力先のプリンタに送るデータ送信部とを備えた画像処理装置として動作させることを特徴とする。
【００２４】
本発明の第２の画像処理プログラムは、コンピュータ内で実行され、そのコンピュータを、上記本発明の第２の画像処理装置として動作させるものであるため、複数のプリンタから出力される画像の色どうしを十分に一致させることができる。
【００２５】
尚、本願における画像処理装置と編集装置は、各々の機能を実現するプログラムを同一装置に組み込んで、１つの装置で構成する場合も含むものとする。
【００２６】
【発明の実施の形態】
以下、本発明の実施形態について説明する。
【００２７】
図１は、本発明の第１の画像処理装置の一実施形態が組み込まれたパーソナルコンピュータの外観斜視図、図２はそのハードウェア構成図である。
【００２８】
このパーソナルコンピュータ１０は、外観構成上、本体装置１１、その本体装置１１からの指示に応じて表示画面１２ａ上に画像を表示する画像表示装置１２、本体装置１１にキー操作に応じた各種の情報を入力するキーボード１３、および、表示画面１２ａ上の任意の位置を指定することにより、その位置に表示された、例えばアイコン等に応じた指示を入力するマウス１４を備えている。この本体装置１１は、外観上、フレキシブルディスクを装填するためのフレキシブルディスク装填口１１ａ、およびＣＤ−ＲＯＭを装填するためのＣＤ−ＲＯＭ装填口１１ｂを有する。
【００２９】
本体装置１１の内部には、図２に示すように、各種プログラムを実行するＣＰＵ１、ハードディスク装置３に格納されたプログラムが読み出されＣＰＵ１での実行のために展開される主メモリ２、各種プログラムやデータ等が保存されたハードディスク装置３、フレキシブルディスク４＿１が装填され、その装填されたフレキシブルディスク４＿１をアクセスするフレキシブルディスクドライブ４、ＣＤ−ＲＯＭ５＿１をアクセスするＣＤ−ＲＯＭドライブ５、図示しないデジタルカメラやカラースキャナ等の入力デバイスと接続され、それら入力デバイスからの原画像データを受け取る入力インタフェース６、後述する複数のプリンタと接続され、それら複数のプリンタに画像データ（ＰＳ（Ｐｏｓｔ  Ｓｃｒｉｐｔ）データ）を送る出力インタフェース７が内蔵されており、これらの各種要素と、さらに図１に示す画像表示装置１２、キーボード１３、およびマウス１４は、バス１５を介して相互に接続されている。
【００３０】
ここで、ＣＤ−ＲＯＭ５＿１には、このパーソナルコンピュータ１０を本発明の第１の画像処理装置の一実施形態として動作させるための画像処理プログラムが記憶されており、そのＣＤ−ＲＯＭ５＿１はＣＤ−ＲＯＭドライブ５に装填され、そのＣＤ−ＲＯＭ５＿１に記憶された画像処理プログラムがこのパーソナルコンピュータ１０にアップロードされてハードディスク装置３に記憶される。こうしてパーソナルコンピュータ１０は本発明の第１の画像処理装置の一実施形態として動作する。
【００３１】
ここで、この図１のパーソナルコンピュータ１０内で実行される、画像処理プログラム（本発明の第１の画像処理プログラムの一実施形態に相当）について説明する。
【００３２】
図３は、本発明の第１の画像処理プログラムの一実施形態が記憶されたＣＤ−ＲＯＭを示す概念図である。
【００３３】
図３に示すＣＤ−ＲＯＭ５＿１には、画像処理プログラム５＿１０が記憶されており、この画像処理プログラム５＿１０は、データ取得処理ルーチン部５＿１１、第１の記憶処理ルーチン部５＿１２、編集用間引き画像生成処理ルーチン部５＿１３、第２の記憶処理ルーチン部５＿１４、編集済みデータ取得処理ルーチン部５＿１５、データ置換処理ルーチン部５＿１６、およびデータ送信処理ルーチン部５＿１７で構成されている。画像処理プログラム５＿１０の各部の細部については、本発明の第１の画像処理装置の一実施形態の各部の作用とあわせて説明する。
【００３４】
図４は、本発明の第１の画像処理装置の一実施形態の構成を示す図、図５は、画像処理プログラム５＿１０を図１のパーソナルコンピュータにインストールし、そのパーソナルコンピュータを本発明の第１の画像処理装置の一実施形態として動作させるときの画像処理装置におけるデータの流れを示す図である。
【００３５】
図４に示す画像処理装置５０には、データ取得部５＿１１１と、第１の記憶部５＿１１２と、編集用間引き画像生成部５＿１１３と、第２の記憶部５＿１１４と、編集済みデータ取得部５＿１１５と、データ置換部５＿１１６と、データ送信部５＿１１７とが備えられている。
【００３６】
データ取得部５＿１１１は、図３に示すデータ取得処理ルーチン部５＿１１のプログラムの作用を受けて動作し、所定の標準色空間の座標で色が表現された標準色空間画像データを取得する。具体的には、図５に示すように、例えばデジタルカメラからのＲＧＢ３色の高解像度（ＨＲ：Ｈｉｇｈ  Ｒｅｓｏｌｕｔｉｏｎ）の原画像データＡ１を、図２に示す入力インターフェース６を介して、所定の標準色空間であるＣＭＹＫの色空間の座標で色が表わされた標準的なＣＭＹＫの高解像度の画像データＡ２（本発明にいう標準色空間画像データの一例）に変換して取得したり、あるいはカラースキャナからのＣＭＹＫ４色の高解像度の原画像データＢ１を、入力インターフェース６を介して、所定の標準色空間であるＣＭＹＫの色空間の座標で色が表わされた標準的なＣＭＹＫの高解像度の画像データＢ２（本発明にいう標準色空間画像データの他の一例）に変換して取得する。取得された画像データＡ２，Ｂ２は、第１の記憶処理ルーチン部５＿１２のプログラムの作用を受けて動作する第１の記憶部５＿１１２に記憶される。
【００３７】
第１の記憶部５＿１１２に記憶された画像データＡ２，Ｂ２は、編集用間引き画像生成部５＿１１３に入力される。編集用間引き画像生成部５＿１１３は、本発明にいう縮小画像生成部の一例に相当するものであり、編集用間引き画像生成処理ルーチン部５＿１３のプログラムの作用を受けて動作する。この編集用間引き画像生成部５＿１１３は、高解像度の画像データＡ２，Ｂ２を間引いて低解像度（ＬＲ：Ｌｏｗ  Ｒｅｓｏｌｕｔｉｏｎ）のＣＭＹＫ４色の画像データＡ３，Ｂ３を生成する。生成された画像データＡ３，Ｂ３は、編集用ワークステーションで動作するＤＴＰアプリケーションで使用される。
【００３８】
ここで、本実施形態の画像処理装置５０に接続されるプリンタについて説明する。本実施形態の画像処理装置５０には、プリンタ２００，３００，４００が接続される。プリンタ２００は、カラー印刷機で印刷される画像の色と極力同じ色に似せたプルーフ画像を作成するためのものである。また、プリンタ３００は、製版フイルム用の画像を作成するためのものである。さらに、プリンタ３００は、製版フイルムを用いることなく、網点画像をアルミ版等の刷版材料に直接露光するＣＴＰ（Ｃｏｍｐｕｔｅｒ  Ｔｏ  Ｐｌａｔｅ）手法を採用したものである。
【００３９】
画像処理装置５０を構成する第２の記憶部５＿１１４は、第２の記憶処理ルーチン部５＿１４のプログラムの作用を受けて動作するものであり、この第２の記憶部５＿１１４には、図５に示す、上記プリンタ２００，３００，４００それぞれに対応するプリンタプロファイル２００ａ，３００ａ，４００ａが記憶される。これらプリンタプロファイル２００ａ，３００ａ，４００ａは、プリンタの種類や使用条件等に対応してそれらプリンタ２００，３００，４００に設定される一般的なプリンタプロファイル（例えば、プリンタのメーカから提供されるＩＣＣプロファイル）と、上記高解像度の画像データＡ２，Ｂ２（ＣＭＹＫの色空間で表わされる標準色空間画像データ）とが対応付けられたプリンタプロファイルである。
【００４０】
編集済みデータ取得部５＿１１５は、上記編集済みデータ取得処理ルーチン部５＿１５のプログラムの作用を受けて動作するものであり、プリンタ２００，３００，４００に出力するための画像配置となるように編集用ワークステーションにおいて編集された、低解像度の画像データＡ３，Ｂ３を含み得る編集済みデータを、編集用ワークステーションから取得する。
【００４１】
データ置換部５＿１１６は、上記データ置換処理ルーチン部５＿１６のプログラムの作用を受けて動作するものであり、編集用ワークステーションにおいて動作するＤＴＰアプリケーションにより編集される画像データ中に低解像度の画像データＡ３，Ｂ３が含まれていた場合に、その低解像度の画像データＡ３，Ｂ３をその低解像度の画像データＡ３，Ｂ３に対応する高解像度の画像データＡ２，Ｂ２（本発明にいう標準色空間画像データに相当）に置換した出力画像データを生成する。
【００４２】
データ送信部５＿１１７は、上記データ送信処理ルーチン部５＿１７のプログラムの作用を受けて動作するものであり、編集用ワークステーション上でＤＴＰアプリケーションを用いて画像、テキスト、線画等のレイアウトを決める編集作業を行ない、編集が終了して編集用ワークステーションを介してユーザがプリント指示を行なうと、データ置換部５＿１１６は、低解像度の画像データＡ３，Ｂ３を高解像度の画像データＡ２，Ｂ２に置換した出力画像データをデータ送信部５＿１１７に出力する。データ送信部５＿１１７は、出力画像データを、第２の記憶部５＿１１４に記憶されたプリンタプロファイル２００ａ，３００ａ，４００ａのうちの、今回の出力先のプリンタプロファイルを伴って、図１に示す出力インターフェース７を介してそのプリンタに送る。例えば、今回の出力先がプリンタ２００であればプリンタプロファイル２００ａを伴って、そのプリンタ２００に送る。プリンタ２００は、出力画像データとプリンタプロファイル２００ａに基づいてカラーのプルーフ画像２０１を作成する。また、今回の出力先がプリンタ３００であればプリンタプロファイル３００ａを伴ってそのプリンタ３００に送られて製版フイルム用の画像３０１が作成される。さらに、今回の出力先がプリンタ４００であればプリンタプロファイル４００ａを伴ってそのプリンタ４００に送られてＣＴＰ用の画像４０１が作成される。
【００４３】
本実施形態の画像処理装置５０は、第２の記憶部５＿１１４に、各プリンタ２００，３００，４００について各プリンタプロファイル２００ａ，３００ａ，４００ａを記憶しておき、編集が終了した時点でユーザがプリント指示を行なうと、プリンタ２００，３００，４００に出力するための画像配置となるように編集ワークステーションにおいて編集された編集済みデータ中の編集後の、低解像度画像データが高解像度データに置換された後の画像データを、記憶された各プリンタプロファイル２００ａ，３００ａ，４００ａのうちの、今回の出力先のプリンタプロファイルを伴ってそのプリンタに送るものであるため、今回の出力先のプリンタプロファイルに基づいてそのプリンタ用の画像データに色変換される。従って、プリンタ２００で得られるプルーフ画像２０１（印刷物）と、プリンタ３００，４００で作成された製版フイルム用の画像３０１，ＣＴＰ用の画像４０１に基づいて得られる印刷物との間でほぼ同一の色再現性を実現することができる。
【００４４】
次に、本発明の第２の画像処理装置の一実施形態について説明する。尚、本発明の第２の画像処理装置の一実施形態が組み込まれたパーソナルコンピュータの外観斜視図およびそのハードウェア構成図は、前述した図１、図２に示すものと同様である。ここでは、ＣＤ−ＲＯＭ５＿２が用いられる。先ず、図１のパーソナルコンピュータ１０内で実行される、画像処理プログラム（本発明の第２の画像処理プログラムの一実施形態に相当）について説明する。
【００４５】
図６は、本発明の第２の画像処理プログラムの一実施形態が記憶されたＣＤ−ＲＯＭを示す概念図である。
【００４６】
図６に示すＣＤ−ＲＯＭ５＿２には、画像処理プログラム５＿２０が記憶されており、この画像処理プログラム５＿２０は、データ取得処理ルーチン部５＿２１、第１の記憶処理ルーチン部５＿２２、編集用間引き画像生成処理ルーチン部５＿２３、第２の記憶処理ルーチン部５＿２４、編集済みデータ取得処理ルーチン部５＿２５、色変換処理ルーチン部５＿２６、データ置換処理ルーチン部５＿２７、およびデータ送信処理ルーチン部５＿２８で構成されている。画像処理プログラム５＿２０の各部の細部については、本発明の第２の画像処理装置の一実施形態の各部の作用とあわせて説明する。
【００４７】
図７は、本発明の第２の画像処理装置の一実施形態の構成を示す図、図８は、画像処理プログラム５＿２０を図１のパーソナルコンピュータにインストールし、そのパーソナルコンピュータを本発明の第２の画像処理装置の一実施形態として動作させるときの画像処理装置におけるデータの流れを示す図である。
【００４８】
図７に示す画像処理装置５２には、データ取得部５＿２１１と、第１の記憶部５＿２１２と、編集用間引き画像生成部５＿２１３と、第２の記憶部５＿２１４と、編集済みデータ取得部５＿２１５と、色変換部５＿２１６と、データ置換部５＿２１７と、データ送信部５＿２１８とが備えられている。
【００４９】
データ取得部５＿２１１は、データ取得処理ルーチン部５＿２１のプログラムの作用を受けて動作し、所定の標準色空間の座標で色が表現された標準色空間画像データを取得する。具体的には、図８に示すように、デジタルカメラからのＲＧＢ３色の高解像度の原画像データＡ１を、図２に示す入力インターフェース６を介して、所定の標準色空間であるＣＭＹＫの色空間の座標で色が表わされた標準的なＣＭＹＫの高解像度の画像データＡ２（本発明にいう標準色空間画像データの一例）に変換して取得したり、あるいはカラースキャナからのＣＭＹＫ４色の高解像度の原画像データＢ１を、入力インターフェース６を介して、所定の標準色空間であるＣＭＹＫの色空間の座標で色が表わされた標準的なＣＭＹＫの高解像度の画像データＢ２（本発明にいう標準色空間画像データの他の一例）に変換して取得する。取得された画像データＡ２，Ｂ２は、第１の記憶処理ルーチン部５＿２２のプログラムの作用を受けて動作する第１の記憶部５＿２１１２に記憶される。
【００５０】
第１の記憶部５＿２１２に記憶された画像データＡ２，Ｂ２は、編集用間引き画像生成部５＿２１３に入力される。編集用間引き画像生成部５＿２１３は、本発明にいう縮小画像生成部の一例に相当するものであり、編集用間引き画像生成処理ルーチン部５＿２３のプログラムの作用を受けて動作する。この編集用間引き画像生成部５＿２１３は、高解像度の画像データＡ２，Ｂ２を間引いて低解像度のＣＭＹＫ４色の画像データＡ３，Ｂ３を生成する。生成された画像データＡ３，Ｂ３は編集用ワークステーションで動作するＤＴＰアプリケーションで使用される。
【００５１】
第２の記憶部５＿２１４は、第２の記憶処理ルーチン部５＿２４のプログラムの作用を受けて動作するものであり、この第２の記憶部５＿２１４には、図８に示す、プリンタ２００，３００，４００それぞれに対応するプリンタプロファイル２００ａ，３００ａ，４００ａが記憶される。これらプリンタプロファイル２００ａ，３００ａ，４００ａは、プリンタの種類や使用条件等に対応してそれらプリンタ２００，３００，４００に設定される一般的なプリンタプロファイル（例えば、プリンタのメーカから提供されるＩＣＣプロファイル）と、上記高解像度の画像データＡ２，Ｂ２（ＣＭＹＫの色空間で表わされる標準色空間画像データ）とが対応付けられたプリンタプロファイルである。
【００５２】
編集済みデータ取得部５＿２１５は、上記編集済みデータ取得処理ルーチン部５＿２５のプログラムの作用を受けて動作するものであり、プリンタ２００，３００，４００に出力するための画像配置となるように編集用ワークステーションにおいて編集された、低解像度の画像データＡ３，Ｂ３を含み得る編集済みデータを、編集用ワークステーションから取得する。
【００５３】
色変換部５＿２１６は、上記色変換処理ルーチン部５＿２６のプログラムの作用を受けて動作するものであり、編集済みデータ中に低解像度の画像データＡ３，Ｂ３が含まれていた場合に、低解像度の画像データＡ３，Ｂ３に対応する高解像度の画像データＡ２，Ｂ２を、第２の記憶部５＿２１４に記憶されたプリンタプロファイル２００ａ，３００ａ，４００ａのうちの今回の出力先のプリンタプロファイルに基づいて色変換することによりプリンタ色空間画像データを生成する。
【００５４】
データ置換部５＿２１７は、上記データ置換処理ルーチン部５＿２７のプログラムの作用を受けて動作するものであり、編集済みデータ中に低解像度の画像データＡ３，Ｂ３が含まれていた場合に、低解像度の画像データＡ３，Ｂ３に対応する高解像度の画像データＡ２，Ｂ２を、その低解像度の画像データＡ３，Ｂ３に対応するプリンタ色空間画像データに置換した出力画像データを生成する。
【００５５】
データ送信部５＿２１８は、上記データ送信処理ルーチン部５＿２８のプログラムの作用を受けて動作するものであり、上記出力画像データを、今回の出力先のプリンタに、図１に示す出力インターフェース７を介して送る。
【００５６】
本実施形態の画像処理装置５２は、低解像度の画像データＡ３，Ｂ３を、その低解像度の画像データＡ３，Ｂ３に対応するプリント色空間画像データに置換して、今回の出力先のプリンタに送るものである。ここで、プリント色空間画像データは、低解像度の画像データＡ３，Ｂ３に対応する高解像度の画像データＡ２，Ｂ２を、第２の記憶部５＿２１４に記憶されたプリンタプロファイル２００ａ，３００ａ，４００ａのうちの今回の出力先のプリンタプロファイルに基づいて色変換することにより生成される。このため、所定のアルゴリズムで補間処理等が行なわれた画像データがそれぞれのプリンタに送られることとなり、プリンタ２００で得られるプルーフ画像２０１（印刷物）と、プリンタ３００，４００で作成された製版フイルム用の画像３０１，ＣＴＰ用の画像４０１に基づいて得られる印刷物の画像の色どうしを十分に一致させることができる。また、補間処理等のアルゴリズムを持たない安価なプリンタに対しても十分な色校正等を行なうことができるため、システム全体のコスト低減化が図られる。
【００５７】
尚、上述した実施形態では、本発明にいう縮小画像として、高解像度の画像データを間引いて生成した低解像度の画像データの例で説明したが、これに限られるものではなく、本発明にいう縮小画像は、標準色空間画像により表わされる画像よりも画素数の少ないものであればよい。
【００５８】
【発明の効果】
以上説明したように、本発明によれば、複数のプリンタから出力される画像の色どうしが十分に一致して色再現性が高められた画像処理装置および画像処理プログラムを提供することができる。
【図面の簡単な説明】
【図１】本発明の第１の画像処理装置の一実施形態が組み込まれたパーソナルコンピュータの外観斜視図である。
【図２】図１に示すパーソナルコンピュータのハードウェア構成図である。
【図３】本発明の第１の画像処理プログラムの一実施形態が記憶されたＣＤ−ＲＯＭを示す概念図である。
【図４】本発明の第１の画像処理装置の一実施形態の構成を示す図である。
【図５】本発明の第１の画像処理装置の一実施形態におけるデータの流れを示す図である。
【図６】本発明の第２の画像処理プログラムの一実施形態が記憶されたＣＤ−ＲＯＭを示す概念図である。
【図７】本発明の第２の画像処理装置の一実施形態の構成を示す図である。
【図８】本発明の第２の画像処理装置の一実施形態におけるデータの流れを示す図である。
【図９】従来の画像処理装置におけるデータの流れを示す図である。
【符号の説明】
１  ＣＰＵ
２  主メモリ
３  ハードディスク装置
４  フレキシブルディスクドライブ
４＿１  フレキシブルディスク
５  ＣＤ−ＲＯＭドライブ
５＿１，５＿２  ＣＤ−ＲＯＭ
５＿１０，５＿２０  画像処理プログラム
５＿１１，５＿２１  データ取得処理ルーチン部
５＿１２，５＿２２  第１の記憶処理ルーチン部
５＿１３，５＿２３  編集用間引き画像生成処理ルーチン部
５＿１４，５＿２４  第２の記憶処理ルーチン部
５＿１５，５＿２５  編集済みデータ取得処理ルーチン部
５＿１６，５＿２７  データ置換処理ルーチン部
５＿１７，５＿２８  データ送信処理ルーチン部
５＿２６  色変換処理ルーチン部
５＿１１１，５＿２１１  データ取得部
５＿１１２，５＿２１２  第１の記憶部
５＿１１３，５＿２１３  編集用間引き画像生成部
５＿１１４，５＿２１４  第２の記憶部
５＿１１５，５＿２１５  編集済みデータ取得部
５＿１１６，５＿２１７  データ置換部
５＿１１７，５＿２１８  データ送信部
５＿２１６  色変換部
６  入力インターフェース
７  出力インタフェース
１０  パーソナルコンピュータ
１１  本体装置
１１ａ  フレキシブルディスク装填口１１ａ
１１ｂ  ＣＤ−ＲＯＭ装填口
１２  画像表示装置
１２ａ  表示画面
１３  キーボード
１４  マウス
１５  バス
５０，５２  画像処理装置
２００，３００，４００  プリンタ
２００ａ，３００ａ，４００ａ  プリンタプロファイル
２０１，３０１，４０１  画像
【図１】
0003878513.tif 000002
【図２】
0003878513.tif 000003
【図３】
0003878513.tif 000004
【図４】
0003878513.tif 000005
【図５】
0003878513.tif 000006
【図６】
0003878513.tif 000007
【図７】
0003878513.tif 000008
【図８】
0003878513.tif 000009
【図９】
0003878513.tif 000010